(57)【要約】【課題】発光部および機能素子部それぞれの配置の変更が容易な照明器具を提供する。【解決手段】照明器具は、発光部２およびセンサ部（機能素子部）３が取着された１つの板状の基材１と、基材１を保持するための器具本体１０とを備える。基材１が、複数の貫通孔１ａを有し、発光部２に設けられた第１取付部２４を貫通孔１ａの周部に設けられた基材側取付部（図示せず）に取着することにより発光部２が基材１に取着され、センサ部３に設けられた第２取付部２５を貫通孔１ａの周部に設けられた前記基材側取付部に取着することによりセンサ部３が基材１に取着されるものであって、発光部２およびセンサ部３が、基材１における複数の貫通孔１ａそれぞれの周部に設けられた前記基材側取付部の中から任意に選択した前記基材側取付部に取着可能となっている。【選択図】図１
2011029095.tif 000002
【特許請求の範囲】
【請求項１】
発光素子を用いた発光部と、所定の機能を有する機能素子部からの出力に基づいて発光部へ供給する電力を制御することにより発光部を点灯および消灯させる制御手段を有する点灯装置とを備えた照明器具であって、発光部および機能素子部が取着された１つの板状の基材と、該基材を保持するための器具本体とを備え、基材が、複数の貫通孔を有し、発光部を基材に取り付けるための第１取付部を該貫通孔の周部に設けられた基材側取付部に取着することにより発光部が前記基材に取着され、機能素子部を基材に取り付けるための第２取付部を前記貫通孔の周部に設けられた基材側取付部に取着することにより機能素子部が基材に取着されるものであって、発光部および機能素子部が、基材における前記複数の貫通孔それぞれの周部に設けられた基材側取付部の中から任意に選択した基材側取付部に取着可能であることを特徴とする照明器具。
【請求項２】
前記発光部で発生した熱を前記器具本体を介して外部に放熱するための放熱用部材が前記基材の他表面側に配置され、前記基材の前記貫通孔の大きさが、前記発光部および前記機能素子部を挿通可能な大きさに設定されてなり、前記第１取付部が、前記発光部が前記貫通孔に挿通される形で前記基材の前記他表面側における前記貫通孔の周部に設けられた前記基材側取付部に取着されることを特徴とする請求項１記載の照明器具。
【請求項３】
前記基材の前記貫通孔の大きさが、前記発光部が挿通不可能であり且つ前記機能素子部のみが挿通可能な大きさに設定されてなることを特徴とする請求項１記載の照明器具。
【請求項４】
前記第１取付部および前記第２取付部の少なくとも一方が、前記基材側取付部に設けられた基材側係合部に係合可能な取付部側係合部を有し、該取付部側係合部を前記基材側係合部に係合させることで、前記基材に着脱自在に取着されることを特徴とする請求項１乃至請求項３のいずれか１項に記載の照明器具。
【発明の詳細な説明】
【技術分野】
【０００１】
本発明は、発光素子を用いた発光部と、発光素子以外の機能素子を有する機能素子部と、機能素子部からの出力に基づいて発光部への供給電力を制御して発光部を点灯および消灯させる制御手段とを備えた照明器具に関するものである。
【背景技術】
【０００２】
近年、照明器具の省エネルギ化の要請を受けて、蛍光灯に比べて低消費電力のＬＥＤ素子からなる発光部を有する照明器具やランプ等が用いられるようになってきた。
【０００３】
また、建物内に設置される照明器具であって、赤外線を検知する機能素子である赤外線センサ素子を有する機能素子部（以下、センサ部という）の出力に基づいて発光部への供給電力を制御して発光部を点灯および消灯させる制御手段を有する点灯装置を備え、赤外線センサ素子の検知エリア内に人が不在で赤外線センサ素子からなるセンサ部からの出力がないときには発光部を自動的に消灯させることで消費電力の低減を可能とした照明器具が提供されている。
【０００４】
この種の照明器具として、従来から、図１２に示すように、複数のＬＥＤ素子からなる発光部２’と、当該複数の発光部２’が実装されるとともに当該複数の発光部２’を直列に接続するための回路パターン（図示せず）が形成された回路基板５１’と、人体から放射される赤外線を検知する機能素子である赤外線センサ素子や照明器具の周囲の明るさを検知する機能素子である受光素子等を有するセンサ部３’と、センサ部３’およびセンサ部３’からの出力に基づいて後述の電源回路を制御するための制御回路（図示せず）が設けられた制御基板５２’と、回路基板５１’および制御基板５２’それぞれがリード線７１’を介して接続され発光部２’に電力を供給する電源回路（図示せず）が設けられた電源基板５３’と、回路基板５１’および制御基板５２’が取着された基材１’と、外形が電球状に形成され且つ基材１’および電源基板５３’を保持する器具本体１０’とを備え、前記制御回路が、センサ部３’の出力に基づいて前記電源回路の出力を制御して前記電源回路から回路基板５１’への電流の供給および停止を行うことで、複数の発光部２’を点灯および消灯させる照明器具が提案されている（特許文献１参照）。
【０００５】
ここに、基材１’は、中央部に当該基材１’の一表面側へ突出する平面視円形状の突出部１ａ’が設けられた形状に形成されている。基材１’の突出部１ａ’には、平面視円形状に開口し且つ内径が平面視円形状のセンサ部３’の外径よりも大きくなるように設定されたセンサ挿通孔（図示せず）が貫設されている。ここで、突出部１ａ’は、制御基板５２’が前記センサ挿通孔にセンサ部３’を挿通した形で取着可能な形状に形成されている。また、回路基板５１’の中央部には、基材１’の突出部１ａ’を挿通させるための突出部挿通孔５１ａ’が開口しており、回路基板５１’は、突出部挿通孔５１ａ’に基材１’の突出部１ａ’を挿通させた形で、基材１’の前記一表面側にシリコーンゴム等を用いた放熱部材５４’を介して取り付けられる。また、制御基板５２’は、センサ部３’を前記センサ挿通孔に挿入した形で突出部１ａ’に取り付けられる。なお、回路基板５１’は、取付ねじ５５’により基材１’にねじ止めされており、回路基板５１’と基材１’との間に放熱部材５４’が挟持されている。
【先行技術文献】
【特許文献】
【０００６】
【特許文献１】特開２００１−３２５８１０号公報
【発明の概要】
【発明が解決しようとする課題】
【０００７】
しかしながら、図１２に示す構成の照明器具では、前述のように、基材１’が中央部に前記センサ挿通孔が貫設された突出部１ａ’を有する特殊な形状であり、必然的にセンサ部３’は中央に配置されることになる。従って、センサ部３’の位置を中央部以外に配置しようとした場合には、図１２に示した照明器具の構成部品のうち制御基板５２’を基材１’の突出部１ａ’の周囲に取り付けることが可能な形状に形成された制御基板（図示せず）に変更する必要がある。また、センサ部３’が配置される箇所に発光部２’を配置しようとした場合も、図１２に示した形状の基材１’を前記センサ挿通孔が中央部以外の部位に形成された基材（図示せず）に交換する必要がある。
【０００８】
本願発明は、上記事由に鑑みてなされたものであり、その目的は、発光部および機能素子部それぞれの配置の変更が容易な照明器具を提供することにある。
【課題を解決するための手段】
【０００９】
請求項１の発明は、発光素子を用いた発光部と、所定の機能を有する機能素子部からの出力に基づいて発光部へ供給する電力を制御することにより発光部を点灯および消灯させる制御手段を有する点灯装置とを備えた照明器具であって、発光部および機能素子部が取着された１つの板状の基材と、該基材を保持するための器具本体とを備え、基材が、複数の貫通孔を有し、発光部を基材に取り付けるための第１取付部を該貫通孔の周部に設けられた基材側取付部に取着することにより発光部が前記基材に取着され、機能素子部を基材に取り付けるための第２取付部を前記貫通孔の周部に設けられた基材側取付部に取着することにより機能素子部が基材に取着されるものであって、発光部および機能素子部が、基材における前記複数の貫通孔それぞれの周部に設けられた基材側取付部の中から任意に選択した基材側取付部に取着可能であることを特徴とする。
【００１０】
この発明によれば、発光部および機能素子部が、基材における前記複数の貫通孔それぞれの周部に設けられた基材側取付部の中から任意に選択した基材側取付部に取着可能であることにより、発光部および機能素子部それぞれの配置の変更が容易となる利点がある。
【００１１】
請求項２の発明は、請求項１の発明において、前記発光部で発生した熱を前記器具本体を介して外部に放熱するための放熱用部材が前記基材の他表面側に配置され、前記基材の前記貫通孔の大きさが、前記発光部および前記機能素子部を挿通可能な大きさに設定されてなり、前記第１取付部が、前記発光部が前記貫通孔に挿通される形で前記基材の前記他表面側における前記貫通孔の周部に設けられた前記基材側取付部に取着されることを特徴とする。
【００１２】
この発明によれば、前記発光部で発生した熱を前記器具本体を介して外部に放熱するための放熱用部材が前記基材の他表面側に配置され、前記基材の前記貫通孔の大きさが、前記発光部および前記機能素子部を挿通可能な大きさに設定されてなり、前記第１取付部が、前記発光部が前記貫通孔に挿通される形で前記基材の前記他表面側における前記貫通孔の周部に設けられた前記基材側取付部に取着されることにより、前記第１取付部を前記基材の他表面側に配置された放熱用部材に直接接触させることができるので、前記発光部で発生した熱の放熱性を向上させることができる。
【００１３】
請求項３の発明は、請求項１の発明において、前記基材の前記貫通孔の大きさが、前記発光部が挿通不可能であり且つ前記機能素子部のみが挿通可能な大きさに設定されてなることを特徴とする。
【００１４】
この発明によれば、前記基材の前記貫通孔の大きさが、前記発光部が挿通不可能であり且つ前記機能素子部のみが挿通可能な大きさに設定されてなることにより、請求項２の発明に比べて前記貫通孔の大きさを小さくすることが可能となるので、前記貫通孔同士を近づけることが可能となるので、前記発光部をより高密度に実装することができるから、前記基材の小面積化による照明器具の小型化を図ることができる。
【００１５】
請求項４の発明は、請求項１乃至請求項３の発明において、前記第１取付部および前記第２取付部の少なくとも一方が、前記基材側取付部に設けられた基材側係合部に係合可能な取付部側係合部を有し、該取付部側係合部を前記基材側係合部に係合させることで、前記基材に着脱自在に取着されることを特徴とする。
【００１６】
この発明によれば、前記第１取付部および前記第２取付部の少なくとも一方が、前記基材側取付部に設けられた基材側係合部に係合可能な取付部側係合部を有し、該取付部側係合部を前記基材側係合部に係合させることで、前記基材に着脱自在に取着されることにより、前記基材に着脱自在に取着されることにより、前記発光部および前記機能素子部それぞれの配置の変更をより容易にすることができる。
【発明の効果】
【００１７】
請求項１の発明によれば、発光部および機能素子部が、前記基材における前記複数の貫通孔が貫設された位置の中から任意に選択した位置に取着可能であることにより、発光部および機能素子部それぞれの配置の変更が容易となる利点がある。
【図面の簡単な説明】
【００１８】
【図１】実施形態１の照明器具を示し、（ａ）は一部破断した側面図、（ｂ）は要部平面図、（ｃ）は要部平面図である。
【図２】同上の照明器具の概略斜視図である。
【図３】同上の照明器具を示し、（ａ）は要部概略側面図、（ｂ）は要部概略平面図、（ｃ）は、他の実施例の要部概略側面図、（ｄ）は他の実施例の要部概略側面図である。
【図４】同上の照明器具を示し、（ａ）は要部概略側面図、（ｂ）は要部概略平面図、（ｃ）は、他の実施例の要部概略側面図、（ｄ）は他の実施例の要部概略側面図である。
【図５】同上の照明器具の要部概略平面図である。
【図６】同上の照明器具を示し、（ａ）は要部概略平面図、（ｂ）は要部概略断面図である。
【図７】同上の照明器具の一部を示すブロック図である。
【図８】同上の照明器具の一部を示すブロック図である。
【図９】同上の照明器具を示し、（ａ）は一実施例の要部概略平面図、（ｂ）は他の実施例の要部概略平面図である。
【図１０】同上の他の実施例の照明器具の要部概略断面図である。
【図１１】実施形態２の照明器具を示し、（ａ）は要部概略平面図、（ｂ）は要部概略断面図、（ｃ）は他の実施例の要部概略断面図である。
【図１２】従来例の照明器具における一部破断した側面図である。
【発明を実施するための形態】
【００１９】
（実施形態１）
以下、本実施形態の照明器具について図１乃至図１０に基づいて説明する。
【００２０】
本実施形態の照明器具は、天井埋め込み型ＬＥＤ照明器具であり、図１（ｂ）および図１（ｃ）に示すように、発光素子であるＬＥＤ素子（図示せず）を用いた複数（図示例では６つ）の発光部２と、人体から放射される熱線を検知する機能素子である赤外線センサ素子を有する機能素子部（以下、センサ部という）３と、センサ部３からの出力に基づいて発光部２を点灯および消灯させる点灯装置（図示せず）と、発光部２が後述の第１取付部２４により取着され且つセンサ部３が後述の第２取付部２５により取着される平面視略円形の板状のプリント基板からなる基材１と、基材１が内部に配置される器具本体１０とを備える。
【００２１】
器具本体１０は、図１（ａ）に示すように、円筒状に形成された筐体１２と、複数の放熱フィン１１ａが設けられ筐体１２に取付ねじ（図示せず）により取着された放熱ブロック１１とから構成される。また、筐体１２の外側には、器具本体１０を天井材（図示せず）に取着するための２つの取付ばね１４が設けられている。
【００２２】
筐体１２は、円筒状に形成されるとともに下端部の外周全体から外方に延出した外鍔部１２ａを有する。また、筐体１２の内面における中心軸方向の略中央部には、周方向に沿って段部１２ｂが形成されており、筐体１２の内面における中心軸方向の下端側には、周方向に沿って溝部１２ｃが形成されている。筐体１２の内部には、基材１が配置されている。ここに、基材１は、筐体１２の上端側から挿入され基材１の一表面側における外周部が段部１２ｂに当接した形で筐体１２の内部に配置される。また、筐体１２の内部における基材１の他表面側には、発光部２で発生した熱を放熱するための放熱用部材である放熱用樹脂シート２２が配置されている。ここで、放熱ブロック１１に筐体１２を前記取付ねじにより取着すると同時に、放熱ブロック１１が放熱用樹脂シート２２を介して基材１の外周部を筐体１２の段部１２ｂに押し付ける形で、基材１が筐体１２の内部に固定される。なお、放熱用樹脂シート２２としては、例えば、エポキシ樹脂中に無機フィラーを高密度充填してなるシート状の封止材を使用することができる。
【００２３】
また、筐体１２には、円板状に形成された透光パネル３１が取り付けられている。透光パネル３１は、外周部の複数箇所に遠心方向に突出する突出部（図示せず）が設けられており、当該突出部を上述の溝部１２ｃの複数箇所に形成された前記切欠部から挿入した後に透光パネル３１を周方向に回転させることで外周部が溝部１２ｃに嵌合する。なお、透光パネル３１は、発光部２から放射され透光パネル３１を透過する光が指向性を持つように表面がプリズム状に加工されたものであってもよい。
【００２４】
本実施形態の照明器具は、天井材Ｃ（図２参照）に貫設された平面視円形状の取付孔Ｃ１の内側に配置される。本実施形態の照明器具では、図２に示すように、取付ばね１４を器具本体１０の側面に向けて（図２の矢印Ｄ１参照）押し倒した状態で器具本体１０を取付孔Ｃ１に挿入し（図２の矢印Ｄ２参照）、更に、器具本体１０を筐体１２の外鍔部１２ａが天井材Ｃの取付孔Ｃ１の周部下面に当接するまで取付孔Ｃ１の奥側に押し込むと、取付ばね１４が器具本体１０から離れる方向に開く。ここで、取付ばね１４の一部が取付孔Ｃ１の周部上面に弾接し、筐体１２の外鍔部１２ａと取付ばね１４の一部とで天井材Ｃを取付孔Ｃ１の内側から挟持する形で、器具本体１０が天井材Ｃに取り付けられる。つまり、図１および図２に示す構成の照明器具は、筐体１２の外鍔部１２ａと取付ばね１４の一部とで天井材Ｃを挟持する形で、器具本体１０が天井材Ｃに取り付けられる構造となっている。
【００２５】
前記点灯装置は、器具本体１０の外部に設けられており、商用電源（図示せず）から供給される交流電力を整流した後に平滑化して直流電流を出力する整流平滑部（図示せず）と、発光部２に一定の大きさの電流を供給するための定電流電源部（図示せず）と、センサ部３に電気的に接続されセンサ部３からの信号を受けて前記定電流電源部を制御する制御回路部（図示せず）と、前記制御回路部に電力を供給するための制御電源部（図示せず）とを備える。また、前記点灯装置は、器具本体１０の外部に設置されている。
【００２６】
複数の発光部２は、図１（ｂ）に示すように、平面視円形状の基材１の中央部に配置されたセンサ部３を囲む１つの円周方向において等間隔で配置されている。
【００２７】
発光部２は、ＬＥＤチップ（図示せず）と、平面視円形状に形成され且つ中央部に形成された凹所（図示せず）に前記ＬＥＤチップが実装される実装基板２ａ（図３参照）と、前記ＬＥＤチップから放射された光の配光を制御するドーム状に形成され実装基板２ａとの間に前記ＬＥＤチップを収納する形で実装基板２ａの一面側に固着された透光性材料からなる光学部材（図示せず）と、前記光学部材と実装基板２ａとで囲まれた空間で前記ＬＥＤチップおよび前記ＬＥＤチップに電気的に接続されたボンディングワイヤ（図示せず）を封止した透光性材料（例えば、シリコーン樹脂、エポキシ樹脂、ガラスなど）からなる封止部（図示せず）と、前記ＬＥＤチップから放射され前記封止部および前記光学部材を透過した光によって励起され前記ＬＥＤチップとは異なる色の光を放射する蛍光体を分散した透光性材料によりドーム状に形成された色変換部材２ｂ（図３参照）とを備えている。また、色変換部材２ｂと前記光学部材の表面との間には、空気層（図示せず）が設けられている。前記空気層は、色変換部材２ｂ内で蛍光体により前記光学部材側へ散乱される光および蛍光体から発する光が前記光学部材を透過し実装基板２ａ等に吸収されるのを抑制して、発光部２の光の取り出し効率を向上させる役割をする。ここに、前記ＬＥＤチップとして、青色光を放射するＧａＮ系青色ＬＥＤチップが用いられ、色変換部材２ｂに分散させる蛍光体としては黄色蛍光体が用いられており、発光部２からは白色光が放射される。なお、発光部２は、これに限らず、例えば、前記ＬＥＤチップとして、紫外光を放射する紫外ＬＥＤチップを用い、色変換部材２ｂに分散させる蛍光体として赤色蛍光体、緑色蛍光体および青色蛍光体を用いたものであってもよい。また、色変換部材２ｂの変わりに蛍光体を含有しない透光性部材（図示せず）を用い、前記ＬＥＤチップとして、赤色ＬＥＤチップ、緑色ＬＥＤチップおよび青色ＬＥＤチップを用いたものであってもよい。また、センサ部３は、前記赤外線センサ素子として、例えば、焦電型センサ素子を使用している。
【００２８】
基材１は、図５に示すように、複数の平面視円形状の開口形状を有する貫通孔１ａを有し、発光部２が取着された第１取付部２４を貫通孔１ａの周部に設けられた基材側取付部１ｂに取着することにより発光部２が基材１に取着され、センサ部３が取着された第２取付部２５を貫通孔１ａの周部に設けられた基材側取付部１ｂに取着することによりセンサ部３が基材１に取着される。ここで、基材側取付部１ｂは、半田用ランドからなる第１の基材側接続端子１ｂａ、第２の基材側接続端子１ｂｂ、第３の基材側接続端子１ｂｃおよび第４の基材側接続端子１ｂｄからなり、第１取付部２４は、後述の第１の接続端子２４ｂａ、第２の接続端子２４ｂｂ、第３の接続端子２４ｂｃ乃至第４の接続端子２４ｂｄそれぞれを第１の基材側接続端子１ｂａ乃至第４の基材側接続端子１ｂｄに取着することにより基材１に取着される。また、第２取付部２５は、後述の第５の接続端子２５ｂａ、第６の接続端子２５ｂｂ、第７の接続端子２５ｂｃおよび第８の接続端子２５ｂｄそれぞれを第１の基材側接続端子１ｂａ乃至第４の基材側接続端子１ｂｄに取着することにより基材１に取着される。また、基材１には、発光部２やセンサ部３に電力を供給するための電源線２３と、センサ部３と前記制御回路部とを電気的に接続するための信号線（図示せず）とが接続されている。電源線２３および前記信号線は、放熱ブロック１１に設けられた電源線挿通孔（図示せず）を通して、器具本体１０の外部に引出されている。
【００２９】
第１取付部２４は、図３（ａ）に示すように、平面視正方形の板状に形成され且つ発光部２が一面側に実装された第１回路基板２４ａと、第１回路基板２４ａの外周部に設けられた第１の接続端子２４ｂａ、第２の接続端子２４ｂｂ、第３の接続端子２４ｂｃおよび第４の接続端子２４ｂｄと、第１回路基板２４ａの前記一面側とは反対側の他面側に固着された放熱用金属板２１とから構成される。
【００３０】
第２取付部２５は、図４（ａ）に示すように、平面視正方形の板状に形成され且つセンサ部３が一面側に実装された第２回路基板２５ａと、第２回路基板２５ａの外周部に設けられた第５の接続端子２５ｂａ、第６の接続端子２５ｂｂ、第７の接続端子２５ｂｃおよび第８の接続端子２５ｂｄと、第２回路基板２５ａの前記一面側とは反対側の他面側に固着された放熱用金属板２１とから構成される。
【００３１】
ところで、発光部２は、図３（ｂ）に示すように、平面視円形状に形成されており、外径Ｃが第１回路基板２４ａの一辺の長さＢよりも小さくなるように形成されている。センサ部３は、図４（ｂ）に示すように、平面視正方形状に形成されており、一辺の長さＺが、第２回路基板２５ａの一辺の長さＹよりも小さくなるように形成されている。
【００３２】
一方、基材１に貫設された貫通孔１ａは、図５に示すように、内径Ｄが第１回路基板２４ａに設けられた第１の接続端子２４ｂａの先端と第２の接続端子２４ｂｂとの先端との間の距離（第３の接続端子２４ｂｃの先端と第４の接続端子２４ｂｄの先端との間の距離）Ａおよび第２回路基板２５ａに設けられた第５の接続端子２５ｂａの先端と第６の接続端端子２５ｂｂの先端との間の距離（第７の接続端子２５ｂｃの先端と第８の接続端子２５ｂｄの先端との間の距離）Ｘよりも小さく、発光部２の外径Ｃおよびセンサ部３の一辺の長さＺの√２倍よりも大きくなるように設定されている。つまり、基材１に貫設された貫通孔１ａの大きさは、発光部２およびセンサ部３が挿通できる大きさに設定されている。
【００３３】
つまり、前述のように発光部２で発生した熱を器具本体１０の一部を構成する放熱ブロック１１を介して外部に放熱するための放熱用樹脂シート２２が基材１の前記他表面側に配置され、基材１の貫通孔１ａの大きさが、発光部２およびセンサ部３が挿通可能な大きさに設定されてなり、第１取付部２４が、発光部２を貫通孔１ａに挿通する形で基材１の前記他表面側における貫通孔１ａの周部に設けられた基材側取付部１ｂに取着される。
【００３４】
従って、第１取付部２４を基材１の前記他表面側に配置された放熱用樹脂シート２２に直接接触させることができるので、発光部２で発生した熱の放熱性を向上させることができる。
【００３５】
なお、本実施形態の照明器具では、図３（ｃ）に示すように、第１の接続端子２４ｂａ乃至第４の接続端子２４ｂｄが発光部２自体に設けられたものであってもよく、図４（ｃ）に示すように、第５の接続端子２５ｂａ乃至第８の接続端子２５ｂｄがセンサ部３自体に設けられたものであってもよい。また、図３（ｄ）に示すように、第１の接続端子２４ｂａ乃至第４の接続端子２４ｂｄが第１回路基板２４ａの前記他面側における外周よりも内側に設けられた構造であってもよく、図４（ｄ）に示すように、第５の接続端子２５ｂａ乃至第８の接続端子２５ｂｄが第２回路基板２５ａの前記他面側における外周よりも内側に設けられた構造であってもよい。
【００３６】
また、本実施形態の照明器具では、基材１に貫設された貫通孔１ａの周部に設けられた基材側取付部１ｂを構成する第１の基材側接続端子１ｂａ乃至第４の基材側接続端子１ｂｄの相対的な位置関係が、全ての貫通孔１ａの周部において同じになるように設定されている。また、第１取付部２４の第１取付端子部２４ｂを構成する第１の接続端子２４ｂａ乃至第４の接続端子２４ｂｄの相対的な位置関係と、第２取付部２５の第２取付端子部２５ｂを構成する第５の接続端子２５ｂａ乃至第８の接続端子２５ｂｄの相対的な位置関係とが同じになるように設定されている。即ち、図６（ｂ）に示すように、基材１に貫設された貫通孔１ａそれぞれの周囲に設けられた貫通孔１ａを挟んで対峙する２つの基材側接続端子１ｂａ，１ｂｂの間の距離Ｌが各貫通孔１ａの周囲において同じになるよう設定されている。
【００３７】
また、基材１には、図７（ａ），（ｂ）に示すようにＬＥＤ素子からなる発光部２に電力を供給するためのＬＥＤ用出力ポート１ｃａと、センサ部３の出力が入力されるセンサ用入力ポート１ｃｂと、センサ用入力ポート１ｃｂに入力されたセンサ部３の出力を外部に出力するセンサ用出力ポート（図示せず）とを有する制御用集積回路１ｃが配設されている。制御用集積回路１ｃの電源端子（図示せず）は、前記点灯装置の前記定電流電源部に接続され、制御用集積回路１ｃのセンサ用出力ポート（図示せず）は、前記点灯装置の前記制御回路部に接続されている。また、基材１には、第１の接点ＪＰ１、第２の接点ＪＰ２および第３の接点ＪＰ３と、第１の接点ＪＰ１乃至第３の接点ＪＰ３の接続状態を切り替えるための操作部（図示せず）とを備える切替スイッチ１ｄが設けられている。ここに、切替スイッチ１ｄは、前記操作部を操作することにより、第１の接点ＪＰ１が閉じて第２の接点ＪＰ２および第３の接点ＪＰ３が開いた状態と第１の接点ＪＰ１が開いて第２の接点ＪＰ２および第３の接点ＪＰ３が閉じた状態との２つの状態間で切り替えることができる。
【００３８】
制御用集積回路１ｃは、ＬＥＤ用出力ポート１ｃａが切替スイッチ１ｄの第１の接点ＪＰ１を介して基材側取付部１ｂの第２の基材側接続端子１ｂｂに接続され、センサ用入力ポート１ｃｂが切替スイッチ１ｄの第２の接点ＪＰ２を介して基材側取付部１ｂの第３の基材側接続端子１ｂｃに接続されている。また、基材側取付部１ｂの第１の基材側接続端子１ｂａは、前記点灯装置の前記定電流電源部に接続されている。
【００３９】
第１取付部２４では、第１の接続端子２４ｂａおよび第２の接続端子２４ｂｂが発光部２および抵抗Ｒ２４の直列回路の両端に電気的に接続されている。第３の接続端子２４ｂｃおよび第４の接続端子２４ｂｄは、未使用端子となっている。ここで、第１取付部２４ｂの第１の接続端子２４ｂａ乃至第４の接続端子２４ｂｄそれぞれが、第１の基材側接続端子１ｂａ乃至第４の基材側接続端子１ｂｄに取着される。
【００４０】
第２取付部２５では、第５の接続端子２５ｂａがセンサ部３の電源端子３ａに電気的に接続され、第６の接続端子２５ｂｂがセンサ部３の出力端子３ｃに接続され、第７の接続端子２５ｂｃがセンサ部３の接地用端子３ｂに電気的に接続されている。第８の接続端子２５ｂｄは、未使用端子となっている。ここで、第２取付部２５ｂの第５の接続端子２５ｂａ乃至第８の接続端子２５ｂｄそれぞれが、第１の基材側接続端子１ｂａ乃至第４の基材側接続端子１ｂｄに取着される。
【００４１】
ここにおいて、貫通孔１ａに発光部２が取着された場合には、切替スイッチ１ｄを第１の接点ＪＰ１が閉じて第２の接点ＪＰ２および第３の接点ＪＰ３が開いた状態とすることにより、制御用集積回路１ｃのＬＥＤ用出力ポート１ｃａと発光部２とを電気的に接続することができる。一方、貫通孔１ａにセンサ部３が取着された場合には、切替スイッチ１ｄを第１の接点ＪＰ１が開いて第２の接点ＪＰ２および第３の接点ＪＰ３が閉じた状態とすることにより、制御用集積回路１ｃのセンサ用入力ポート１ｃｂとセンサ部３の出力端子３ｃとを電気的に接続するとともにセンサ部３の接地端子３ｂを第３の接点ＪＰ３を介して接地させることができる。つまり、切替スイッチ１ｄの第１の接点ＪＰ１乃至第３の接点ＪＰ３の接続状態を適宜切り替えることによって、貫通孔１ａに発光部２およびセンサ部３を任意に選択して取着することができる。
【００４２】
また、本実施形態の照明器具では、図８に示すように、複数（図１に示す例では７つ）のＬＥＤ用出力ポート１ｃａとＬＥＤ出力ポート１ｃａと同数のセンサ用入力ポート１ｃｂとを有する制御用集積回路１ｃと、ＬＥＤ出力ポート１ｃａ或いはセンサ用入力ポート１ｃｂと同数の切替スイッチ１ｄとが基材１に配設されている。
【００４３】
従って、発光部２またはセンサ部３が、基材１における複数の貫通孔１ａが貫設された位置の中から任意に選択した位置に取着可能となっている。例えば、図６（ａ）に示すように、センサ部３を基材１の中央部に１つだけ配置するだけでなく、図９（ａ）に示すように、基材１における複数の貫通孔１ａが貫設された位置の全てに発光部２を配置した構成としたり、図９（ｂ）に示すように、基材１の中心を挟んで並ぶ２箇所の貫通孔１ａが貫設された位置に２つのセンサ部３を配置し、残りの貫通孔１ａが貫設された位置に発光部２を配置した構成とすることができる。
【００４４】
しかして、本実施形態の照明器具では、発光部２およびセンサ部３それぞれの配置の変更が容易になるという利点がある。また、図６（ａ）および図９（ｂ）のように、基材１におけるセンサ部３の配置や個数を自由に変更することができるので、センサ部３の検知エリアを自由に変更することができる。
【００４５】
なお、本実施形態の照明器具では、図１０に示すように、第１取付部２４の第１の接続端子２４ｂａ乃至第４の接続端子２４ｂｄそれぞれが、基材側取付部１ｂの第１の基材側接続端子１ｂａ乃至第４の基材側接続端子１ｂｄそれぞれに設けられた基材側係合部である係合凸部１ｂｅに係合する取付部側係合部である係合凹部２４ｂｅを有するとともに、第２取付部２５の第５の接続端子２５ｂａ乃至第８の接続端子２５ｂｄそれぞれが、基材側取付部１ｂの第１の基材側接続端子１ｂａ乃至第４の基材側接続端子１ｂｄそれぞれに設けられた係合凸部１ｂｅに係合する取付部側係合部である係合凹部２５ｂｅを有し、第１取付部２４および第２取付部２５は、各係合凹部２４ｂｅ，２５ｂｅが係合凸部１ｂｅに係合することにより、基材１に着脱自在に取着されるものであってもよい。
【００４６】
この場合、発光部２およびセンサ部３それぞれの配置の変更がより容易になる。また、ユーザは、発光部２のみを備えた照明器具を購入した後であっても、発光部２の一部を赤外線センサ素子やリモコン信号受光素子などを有するセンサ部３に自由に変更することが可能なので、ユーザの好みの変化に応じて、照明器具の配光の変更したりリモコン機能を追加することができるから、使い勝手が向上する。
【００４７】
なお、前述では、基材側係合部が係合凸部１ｂｅからなるとともに取付部側係合部が係合凹部２４ｂｅ，２５ｂｅからなる例について説明したが、これに限定されるものではなく、基材側係合部が係合凹部（図示せず）からなるとともに取付部側係合部が係合凸部（図示せず）からなるものであってもよい。
【００４８】
（実施形態２）
本実施形態の照明器具は、図１１に示すように、貫通孔１ａの内径Ｄが、発光部２の外径Ｃよりも小さく且つセンサ部３の一辺の長さＺの√２倍よりも大きくなるように設定されている点、即ち、基材１の貫通孔１ａの大きさが、発光部２が挿通不可能であり且つセンサ部３のみが挿通可能な大きさに設定されている点が実施形態１とは相違する。なお、図１に示す構成と同様の構成については同一の符号を付して説明を省略する。ここで、発光部２は、第１取付部２４を第１の基材側取付部１１１ｂに取着することにより基材１の一表面側に取着され、センサ部３は、センサ部３を貫通孔１ａに挿入する形で第２取付部２５を第２の基材側取付部１２１ｂに取着することにより基材１の他表面側に取着される。ここで、第１の基材側取付部１１１ｂは、半田用ランドからなる第１の基材側接続端子１１１ｂａ、第２の基材側接続端子１１１ｂｂ、第３の基材側接続端子（図示せず）および第４の基材側接続端子（図示せず）からなり、第２の基材側取付部１２１ｂは、半田用ランドからなる第５の基材側接続端子１２１ｂａ、第６の基材側接続端子１２１ｂｂ、第７の基材側接続端子（図示せず）および第８の基材側接続端子（図示せず）からなる。第１取付部２４は、第１の接続端子２４ｂａ乃至第４の接続端子２４ｂｄそれぞれを第１の基材側接続端子１１１ｂａ乃至第４の基材側接続端子１１１ｂｄに取着することにより基材１に取着される。また、第２取付部２５は、第５の接続端子２５ｂａ乃至第８の接続端子２５ｂｄそれぞれを第５の基材側接続端子１２１ｂａ乃至第８の基材側接続端子１２１ｂｄに取着することにより基材１に取着される。
【００４９】
また、第１取付部２４における前記一面側とは反対側の他面側には、発光部２で発生した熱を放熱するための放熱板２６が固着されている。従って、図９（ｂ）に示すように、貫通孔１ａを挿通する放熱板２６を放熱用部材である放熱用樹脂シート（図示せず）に接触させることで、発光部２で発生した熱を放熱板２６、放熱用樹脂シート２２および放熱ブロック１１を介して外部に放熱することが可能となる。
【００５０】
本実施形態の照明器具では、実施形態１に比べて貫通孔１ａの大きさが小さく、貫通孔１ａの周部に配設された第１の基材側接続端子１１１ｂａ乃至第４の基材側接続端子１１１ｂｄを互いに近づけることが可能となるので、第１取付部２４の第１の接続端子２４ｂａ乃至第４の接続端子２４ｂｄを互いに近づけることができ、第１取付部２４の大きさを小さくすることができるから、発光部２をより高密度に実装することができ、基材１の小面積化による照明器具の小型化を図ることができる。
【００５１】
また、図１１（ｂ）に示すように、発光部２が基材１の前記一表面側に取着され、センサ部３が基材１の前記他表面側に取着されていることにより、発光部２とセンサ部３との間の距離が近くなっても第１取付部２４と第２取付部２５とが接触してしまうおそれがないので、発光部２が取着される貫通孔１ａとセンサ部３が取着される貫通孔１ａとの間の距離を小さくすることができるから、発光部２をより高密度に実装することができる。
【００５２】
なお、本実施形態の照明器具としては、図１１（ｃ）に示すように、基材１の前記一表面側に第３の基材側取付部１３１を設けるとともに、第２取付部２５を第２の基材側取付部１３１に取着することにより、センサ部３を基材１に取着するようにしてもよい。ここに、センサ部３は、貫通孔１ａに挿入される形で発光部２が取着された前記一表面側とは反対側の他表面側に突出している。ここで、第３の基材側取付部１３１ｂは、半田用ランドからなる第９の基材側接続端子１３１ｂａ、第１０の基材側接続端子１３１ｂｂ、第１１の基材側接続端子（図示せず）および第１２の基材側接続端子（図示せず）からなる。また、第２取付部２５は、第５の接続端子２５ｂａ乃至第８の接続端子２５ｂｄそれぞれを第９の基材側接続端子１３１ｂａ乃至第１２の基材側接続端子１２１ｂｄに取着することにより基材１に取着される。
【００５３】
従って、基材１の前記一表面側にセンサ部３が現われないので、前記一表面側からの照明器具の見栄えをよくすることができる。また、センサ部３が基材１の前記一表面側に突出していないので、発光部２から放射される光の一部がセンサ部３により遮られることがなく、発光部２から放射される光の配光が制限されるのを抑制することができる。
【００５４】
なお、本実施形態の照明器具では、第１取付部２４の第１の接続端子２４ｂａ乃至第４の接続端子２４ｂｄそれぞれが、第１の基材側取付部１１１ｂの第１の基材側接続端子１１１ｂａ乃至第４の基材側接続端子１１１ｂｄ、第２の基材側取付部１２１ｂの第５の基材側接続端子１２１ｂａ乃至第８の基材側接続端子１２１ｂｄおよび第３の基材側取付部１３１ｂの第９の基材側接続端子１３１ｂａ乃至第１２の基材側接続端子１３１ｂｄそれぞれに設けられた基材側係合部である係合凸部（図示せず）に係合する取付部側係合部である係合凹部（図示せず）を有するとともに、第２取付部２５の第５の接続端子２５ｂａ乃至第８の接続端子２５ｂｄそれぞれが、前記各係合凸部（図示せず）に係合する取付部側係合部である係合凹部（図示せず）を有し、第１取付部２４および第２取付部２５は、前記各係合凹部が前記係合凸部に係合することにより、基材１に着脱自在に取着されるものであってもよい。なお、基材側係合部が係合凹部（図示せず）からなるとともに取付部側係合部が係合凸部（図示せず）からなるものであってもよい。
【符号の説明】
【００５５】
１  基材
１ａ  貫通孔
１ｂ  基材側取付部
１ｂｅ  係合凹部
２  発光部
３  センサ部（機能素子部）
１０  器具本体
１１  放熱ブロック
１２  筐体
２２  放熱用樹脂シート（放熱用部材）
２４  第１取付部
２４ａ  第１回路基板
２４ｂｅ，２５ｂｅ  係合凸部
２５  第２取付部
２５ａ  第２回路基板
１１１ｂ  第１の基材側取付部
１２１ｂ  第２の基材側取付部
１３１ｂ  第３の基材側取付部
【図１】
2011029095.tif 000003
【図２】
2011029095.tif 000004
【図３】
2011029095.tif 000005
【図４】
2011029095.tif 000006
【図５】
2011029095.tif 000007
【図６】
2011029095.tif 000008
【図７】
2011029095.tif 000009
【図８】
2011029095.tif 000010
【図９】
2011029095.tif 000011
【図１０】
2011029095.tif 000012
【図１１】
2011029095.tif 000013
【図１２】
2011029095.tif 000014